Podtech/llm-jp-corpus-v4-ja_patent huggingface dataset:
(57)【要約】【課題】海域・河川・湖沼・池等の水域は、近年科学の進歩と共に水質汚染が進んでいる、その上石積等で通水護岸となっていた護岸も現在は殆どコンクリート護岸等となり通水による浄化は遮断されている、早急に浄化活性化を行なわなければ水中生物はもとより陸上に住む人類を初めとする生物にも影響してくる。【解決手段】海域・水域の浄化活性化をはかる手段として、麦飯石の極度に高い浄化活性力により源流に近づける工法として、コンクリート護岸等により閉鎖されている海域・水域の護岸前面に麦飯石が流されない様な籠に詰めて水中に設置する、汚染の甚だしい水域には細粒の麦飯石又はモリゼオを散布して水域の浄化活性をはかり水棲生物と共に水域環境を良くする工法である。【選択図】    図１
2004148182.tif 000002
【特許請求の範囲】
【請求項１】
海域・河川・湖沼・池等の護岸前面及び付近に麦飯石を腐蝕に強い金属製、或いは木竹製等一般に市場に存在する蛇籠・フトン籠類の籠に詰石して水中に設置し汚水を通水させて水質浄化活性化する工法。
【発明の詳細な説明】
【０００１】
【発明の属する技術分野】
本発明は海域・水域等の水質浄化活性化する工法。
【０００２】
【従来の技術】
空から降った雨水は地表水・地下水となって河川、海域え流下するその過程で家庭・工場・農地等あらゆる地域で水質改善を求め、浄化槽の設置や使用薬品の改善を試みているが水質汚濁は進んでいるのが実情である。
【０００３】
陸上や河川・海域等ではコンリートやアスファルト等で水は遮断されている、従来は地中で水質の浄化を行ない、河川・海域では砂や土石の浄化で源流に近い水質を保持して来たが、現在は一部の地域のみとなっている。
【０００４】
水質が悪化した海域・河川・湖沼等で各種浄化工法で実施している、主として酸素を水中に送る方法、水のバッキ、水質浄化剤の散布、水底のヘドロ改良、捨石堤防等がある。しかし、経費が相当かかり一部地域のみである。
【０００５】
【発明が解決しようとする課題】
コンクリート構造物等を取り壊し他の自然構造物に変えるには莫大な費用と年月がかかると同時にコンクリートに代わる物質は見当たらない。
【０００６】
以前から護岸は土石・木竹が主流で、水域の水質は地下水の交流で常に浄化されていたが現在はコンクリートを初めとする物質で通水は遮断され個々の水域で浄化する必要に迫られている。
【０００７】
陸域部及び水域の水質は人口増加・科学の発展等により汚染が進み、これらで直接生きている陸上・水中の生物は繁殖・成育に支障をきたす恐れがある、早急に解決しなければならない。
【０００８】
【課題を解決しようとする手段】
海域・水域の水質を浄化活性化するに当たり源流に近づける為の参考として、ロシヤや中国から海に流れ出すアムール川の水は良質な栄養源を持ち日本北部の水棲生物の育成に貢献している、原因の一つとして上流に麦飯石の大山があり水質浄化して豊富な栄養源を流下している、この実績を用いて麦飯石をコンクリート護岸等で閉鎖された水域で源流に近い水質にする、管理のしやすい護岸付近に籠に詰めた麦飯石を設置し通水さす事によって付近水域の水質を浄化活性化する工法である。
【０００９】
水域に於て陸域の地下水も、流域中流付近から下流では人口の増加科学の発達等種々の事情により水質の汚染が少なくなっていないのが現状である、これらの水を浄化活性化さす為、水路河川護岸に流木等が激突しても破損しにくい鉄線籠等に麦飯石を詰め通水する箇所に設置して汚水を浄化活性化する。
【００１０】
護岸前面に籠に詰めた麦飯石を設置するだけでは浄化が不十分箇所では、水域海域に細粒の麦飯石又はモリゼオ（モンモリロナイトに酵素を加えた製品）を散布して水質・低質の浄化活性化の増幅をはかる。
【００１１】
本発明は根固め工や消波工ではなく、蛇籠・フトン籠等一般の籠で良いが編目は麦飯石の径に応じ、管理のしやすい籠を激突波の少ない通水部に設置する。
【００１２】
【発明実施の形態】
水域・海域等の水質浄化活性を目的とした麦飯石設置工法の形態は大別して海域及び海域護岸、河川護岸及び流路、湖沼・池等の護岸及び水域、小水路等について、図１〜図６に於て説明する。
【００１３】
図１は、海域・河川・湖沼・池等の護岸断面図で水の流れのある護岸３の前面に、籠１に麦飯石２を詰める、この籠１は一般に市販されている蛇籠・フトン籠を用いるが木竹製でも良い、前面水域の汚染が甚だしい箇所では、前面水域４に細粒の麦飯石又はモリゼオ（モンモリロナイトに酵素を加えた製品）５を散布して水質低質の浄化活性をする。
【００１４】
図２は、海域・河川・湖沼の護岸側面図で、水の流れ６に設置された籠の中を通水して汚水を浄化活性化する。
【００１５】
図３は、河川堰堤工又は頭首工の側面図で、この堰堤工又は頭首工７の下流え籠１に詰めた麦飯石２を設置する事によって、下流の水質を浄化活性化して水棲生物の育成に貢献する。
【００１６】
図４は、河川堰堤工又は頭首工の平面図で下流に籠に詰めた麦飯石２を設置して流れの汚水を通水する。
【００１７】
図５は、小河川又は水路等の断面図で、断面全体に麦飯石２を散布して家庭や農地・工場等から出る汚水の浄化活性をはかる、汚染の度合いにより麦飯石の粒径や散布厚さを変える。
【００１８】
図６は、小河川又は水路等の平面図で、流れの箇所に一面に麦飯石２を散布する、水の流れが早い箇所には粒径大きい麦飯石を散布する。
【００１９】
【発明の効果】
水中の物質に対して、強い吸着力による水の浄化活性・水質の調整作用・ミネラル分の溶出・水の溶存酸素を豊富にする作用として使用されて来た麦飯石は我が国でも発掘され、各実験．研究．分析が進み効果は多くの市場で使用されている、この麦飯石を流されないように籠に詰め、流れのある水中に沈め汚水を通水さす事により、水質を浄化活性化して海中・水中の水棲生物の育成や繁殖に寄与する。
【００２０】
現在の海岸・河川・湖沼・池等は殆どコンクリート護岸となって砂や砂利等の比表面積の大きな浄化区域が減少している地域を正常化する工法であり水質浄化活性により低質も浄化活性する事で水棲生物の質の向上を目指す事は人類を初め陸上生物・水中生物の繁栄につながる。
【図面の簡単な説明】
【図１】本発明の実施例を示す海域・河川・湖沼・池等の麦飯石施工断面図
【図２】同上側面図
【図３】河川堰堤工又は頭首工の側面図
【図４】同上平面図
【図５】小河川又は水路等の断面図
【図６】同上平面図
【符号の説明】
１  籠
２  麦飯石
３  護岸
４  水域
５  細粒麦飯石又はモリゼオ（モンモリロナイトに酵素を加えた製品）
６  流れ
７  堰堤工又は頭首工
【図１】
2004148182.tif 000003
【図２】
2004148182.tif 000004
【図３】
2004148182.tif 000005
【図４】
2004148182.tif 000006
【図５】
2004148182.tif 000007
【図６】
2004148182.tif 000008
(57)【要約】【課題】産業廃棄物を利用して、安価に、生ゴミを処理して人工土を製造できる生ゴミ処理方法を提案すること。【解決手段】生ゴミの処理は、工程１で回収した生ゴミ・人糞・畜糞１に、保水剤として機能する新聞紙などの古紙２を加え（工程２）、これらをジューサーなどの微粉砕機３に投入し、水４を加えながら粉砕する（工程３）。得られた粉砕物５に、粘土および砂利プラントでの製造工程における骨材洗浄により得られる濃縮汚泥６を加え、これらをタライミキサなどの攪拌混合機７を用いて混合する（工程４）。得られた混合物８に、空気９、凝固剤・デンプン１０を加え、攪拌しながら金網コンベア１１に向けて搬送し（工程５）、金網コンベア１１によって攪拌後の混合物１２を搬送して水切りを行う（工程６）。この結果、金網コンベア１１の排出端からは、水分が除去されて所定の粘性を備えた人工土１３が回収部１４に回収される。【選択図】      図１
2004148275.tif 000002
【特許請求の範囲】
【請求項１】
生ゴミと人糞および／または畜糞に、古紙を加え、
これらに水を加えながら粉砕して粉砕物を生成し、
粉砕物に、粘土および、砂利プラントでの製造工程における骨材洗浄により得られる濃縮汚泥を加え、
当該粉砕物、濃縮汚泥および粘土を混合して混合物を生成し、
混合物に、空気と、凝固剤および／またはデンプンとを加えながら攪拌し、
攪拌後の混合物の水切りを行い、所定の粘性を備えた人工土を製造することを特徴とする生ゴミ処理方法。
【請求項２】
請求項１において、
前記人工土に水を加えて所定期間放置して発酵させることを特徴とする生ゴミ処理方法。
【請求項３】
請求項１または２に記載の方法により製造されたことを特徴とする人工土。
【請求項４】
請求項３において、
耕作地の土壌改良土として用いることを特徴とする人口土。
【請求項５】
請求項３において、
法面吹付け工事用の吹き付け材料として用いることを特徴とする人口土。
【発明の詳細な説明】
【０００１】
【発明の属する技術分野】
本発明は、生ゴミ処理方法に関し、特に、生ゴミから、耕作地などの土壌改良土や土木工事用の材料として用いるのに適した人工土を製造する生ゴミ処理方法に関するものである。
【０００２】
【従来の技術および解決しようとする課題】
一般に、生ゴミは微生物により分解処理して堆肥などとして再利用されるか、あるいは、焼却して処分されている。微生物により分解処理する場合には、微生物による発酵により発生するガスや浸出液によって周囲に汚染が広がらないように対処する必要がある。また、焼却による処分ではダイオキシンを発生させないように高温焼却を行う必要がある。従って、これらの方法は一般に設備費用およびランニングコストが嵩むという問題点がある。
【０００３】
本発明の課題は、コスト高を招くことなく生ゴミを処理して、耕作地の土壌改良土や土木工事における法面吹きつけ材料などとして用いることのできる人工土を製造可能な生ゴミ処理方法を提案することにある。
【０００４】
【課題を解決するための手段】
上記の課題を解決するために、本発明の生ゴミ処理方法は、
生ゴミと人糞および／または畜糞に古紙を加え、
これらに水を加えながら粉砕して粉砕物を生成し、
粉砕物に、粘土および、砂利プラントでの製造工程で発生する骨材洗浄により得られる濃縮汚泥を加え、
当該粉砕物および濃縮汚泥を混合して混合物を生成し、
混合物に、空気と凝固剤および／またはデンプンとを加えながら攪拌し、
攪拌後の混合物の水切りを行い、所定の粘性を備えた人工土を製造することを特徴としている。
【０００５】
ここで、上記の工程に加えて、前記人工土に水を加えて所定期間放置して発酵させるようにしてもよい。
【０００６】
本発明により製造された人工土は、田畑などの耕作地の土壌改良土として用いることができる。また、土木工事、例えば道路工事などにおける法面吹付け材料として用いることができる。
【０００７】
【発明の実施の形態】
以下に、図面を参照して本発明を適用した生ゴミ処理方法の実施の形態を説明する。
【０００８】
図１は本実施の形態に係る生ゴミ処理方法を示す説明図である。この図を参照して説明すると、まず、工程１において、厨芥などの生ゴミをトラック等により回収する。また、人糞および／または畜糞を回収する。工程２では、回収した生ゴミおよび人糞・畜糞１に保水剤として機能する古紙２を加える。例えば、新聞紙などの古紙を加える。
【０００９】
工程３では、生ゴミ・人糞・畜糞１および古紙２をジューサーなどの微粉砕機３に投入し、水４を加えながら粉砕する。
【００１０】
工程４では、得られた粉砕物５に、粘土と、砂利プラントでの製造工程で発生する骨材洗浄により得られる濃縮汚泥６とを加え、これらをタライミキサなどの攪拌混合機７を用いて混合する。工程５では、これにより得られた混合物８に、空気９と、凝固剤およびデンプン１０を加え、攪拌しながら金網コンベア１１に向けて搬送する。デンプンは例えば、ＰＭ剤の商品名で市販されているコンニャクの皮を精製したものを用いることができ、これを加えることにより、混合物に粘性が付与される。次に、工程６において、金網コンベア１１によって攪拌後の混合物１２を搬送することにより、その水切りを行う。
【００１１】
この結果、工程７において、金網コンベア１１の排出端からは、水分が除去されて所定の粘性を備えた人工土１３が回収部１４に回収される。
【００１２】
このようにして製造された人工土１３はそのまま土壌改良土として用いることができる。また、土木工事、例えば道路工事における法面吹き付け材料等として用いることができる。
【００１３】
この代わりに、製造された人工土１３に散水して所定期間、例えば１ヶ月間放置して、有機物を発酵させ（工程８）、しかる後に、所定量毎に容器１５に詰めて発送するようにしてもよい。
【００１４】
【発明の効果】
本発明の生ゴミ処理方法では、廃棄物である古紙および濃縮汚泥を加えることにより人工土を製造している。従って、極めて安価に生ごみを処理できる。また、砂利プラントに処理設備を付設することにより、簡単に本発明による生ゴミ処理方法を実現できるので便利である。また、粘土を加えることにより、発酵を遅らせることができるので、処理時の悪臭や汚水の発生を抑制でき、住宅地の近くにおいても環境汚染を招くことなく生ゴミを処理することができる。
【図面の簡単な説明】
【図１】本発明を適用した生ゴミ処理方法を示す説明図である。
【符号の説明】
１    生ゴミ・人糞・畜糞
２    古紙
３    微粉砕機
４    水
５    粉砕物
６    濃縮汚泥・粘土
７    攪拌混合機
８    混合物
９    空気
１０  凝固剤
１１  金網コンベア
１２  混合物
１３  人工土
１４  回収部
１５  容器
【図１】
2004148275.tif 000003
(57)【要約】【課題】漁船などの魚槽に小魚が沢山入った場合、従来のコシ器では海水と小魚の分離が出来ないため、魚槽内の上下で温度差が出来ても海水を循環させにくく、海水を循環させて水温を一定にすることが出来ない。また、もっと積極的に海水温度を一定に冷却することが出来ず魚の鮮度を保持することが困難でした。【解決手段】穴と穴を連結する溝とコシ板の傾斜を有したコシ器で小魚を海水と分離することが可能となり、海水を循環することが出来、魚槽内での温度差をなくすことが出来、更に冷却が可能となる。【選択図】図１
2004148286.tif 000002
【特許請求の範囲】
【請求項１】
コシ穴とコシ穴の間に溝を施したことを特徴とするコシ器
【請求項２】
コシ器面が平らでなく角度を施したことを特徴とする請求項１記載のコシ器
【請求項３】
吸水口が複数であることを特徴とする請求項１記載のコシ器
【発明の詳細な説明】
【０００１】
【発明の属する技術分野】
この発明は、液体と固体を分離するコシ器の形状に関する。
【０００２】
【従来の技術】
従来のコシ器は、図２に示すように（Ｉ）はコシ穴が○穴く複数開いた板を使用したコシ器、（ＩＩ）はコシ穴が細長く開いた板を使用したコシ器などである。
【０００３】
【発明が解決しようとする課題】
しかしながら、以上の従来技術によれば、コシ穴が○穴く複数開いた板は、個体が○穴を塞ぎ目詰まりを起こす。また、穴が細長く開いた板の場合は、数個の個体が穴を塞ぐと開口面積が狭くなり、穴を塞ぐ前と同じ水量がコシ部の穴を流れている場合、コシ部が塞がり狭い開口部に同量の液体が流れると流速が早くなり、固体が吸い寄せられ、穴を塞ぐ様になる。穴が更に塞がれると更に流速が早くなり吸い寄せる力が強くなり、悪循環を繰り返し、最後に目詰まりを起こす。そこで、この発明は、液体と固体を分離する時の目詰まりをなくすコシ器を提供することを課題とする。
【０００４】
【課題を解決するための手段】
以上の課題を解決するために、請求項１の発明は、コシ穴とコシ穴の間にそれぞれのコシ穴間を連結する溝を施したことを特徴とするコシ器である。
また、請求項２の発明は、コシ器面が平らでなく角度を施したことを特徴とするコシ器である。
また、請求項３の発明は、吸水口が複数であることを特徴とするコシ器である。
【０００５】
【発明の実施の形態】
この発明の一実施形態を、図１に示す。
コシ器は、（あ）の板に▲１▼の穴が開いており、板の厚みを利用して▲２▼の溝が▲１▼の穴と穴の間に施されている。この（あ）板を（Ａ）の様に角度をつけて連結し▲９▼のコシ部の側板とする。
この▲９▼のコシ部の側板前後２枚の上部に▲４▼の天板を１枚・▲５▼の底板を１枚・▲３▼の左右側板２枚を張り箱の形状を作る。箱の内部に配管を施すため、左右▲３▼の側板に▲６▼の配管接続口を設け、配管接続口の間を▲７▼の内部配管をし、その内部配管に複数の▲８▼の吸水口を下向けに取り付ける。
【０００６】
【実施形態の効果】
この実施形態によれば、穴と穴の間に溝が４方にのびており、仮に穴の所に個体がくっついても４方の溝から液体は穴に流れてくる。穴の部分を表面上塞いだとしても、溝の深さが、穴の半径分の深さがあり、穴部を切り欠いている４つの溝の断面の開口面積は穴の２倍空いていることになる。
また、▲９▼のコシ部の側板に角度を保たせてあり、固形物は、コシ板とコシ板の間のＶ溝をすべて塞ぐことはなく、液体は箱の内部に入る。
穴の内径より小さい固形物は、吸水口を複数にすることにより吸水口から吸い込まれる液体の流速は遅くなり、固形物を吸い寄せる力が弱くなって吸い込みにくくなる。また、吸水口を下に向けていることにより、固形物の自重により、更に吸い込みにくくなる。
【０００７】
【他の実施形態】
図１の実施形態では、穴の形が○であったが、楕円にすれば、球形の固体でも穴を塞ぐことがなくなる。また、溝が上下左右の４方向であったが、更に上下左右と斜め方向に溝を入れたもの、また、天板や側面なども同じ様に穴と傾斜を組み合わせた物を施したものでも良い。
【０００８】
【発明の効果】
以上説明したように、この発明によれば、固体が接触する面に溝を設け、更に接触面に角度をつけることにより、固形物が水流を妨げるもとがなくなり、結果として固体と液体の分離を可能とする。
【０００９】
また、吸水口を下向けに複数設けることで穴を通過した固形物が配管内に吸い込まれにくい。
【図面の簡単な説明】
【図１】この発明の一実施形態を示す図と板の拡大図である。
【図２】従来の実施形態を示す図
【符号の説明】
あ  コシ板（拡大図）
１  穴                            ２  溝
３  側板                          ４  天板
５  底板                          ６  配管接続口
７  内部配管                      ８  吸水口
Ａ  コシ板取り付け角度            ９  コシ部の側板
【図１】
2004148286.tif 000003
【図２】
2004148286.tif 000004
(57)【要約】【目的】バースクリーンにより流体から分離し、かき取り装置によりスクリーン端部にかき寄せたスクリーンかすを、吸引除去し貯留容器へ移送する。【構成】バースクリーン１のそれぞれの端部にかき寄せたスクリーンかすを、スクリーンの両端部に設けた樋状の吸引口２ａ、２ｂからポンプ３ａ、３ｂにより流体とともに吸引し、配管４ａ、４ｂを通じて分離貯留容器５ａ、５ｂまで移送する。スクリーンかすは容器５ａ、５ｂ内で流体と分離のうえ貯留され、流体は容器外に排出される。【選択図】図１
2004148284.tif 000002
【特許請求の範囲】
【請求項１】
夾雑物が浮遊する流体から夾雑物を分離するためのスクリーンかすの除去移送方法であって、櫛状のかき取り装置（６）によりバースクリーン（１）端部にかき寄せたスクリーンかすを、バースクリーン（１）両端部に設けた樋状の吸引口（２ａ）、（２ｂ）から流体とともに吸引し、ポンプ（３ａ）、（３ｂ）及び配管（４ａ）、（４ｂ）を通じて分離貯留容器（５ａ）、（５ｂ）へ移送することを特徴とする、吸引によるスクリーンかすの除去移送方法。
【発明の詳細な説明】
【０００１】
【産業上の利用分野】
本発明は、たとえば、汚水中に含まれる紙・繊維・汚物などの夾雑物を、設置場所の制約を受けず円滑かつ効率的に除去するための方法に関するものである。
【０００２】
【従来の技術】
スクリーンにより汚水から分離されたスクリーンかすをスクリーン面から除去する方法としては、従来「１．重力を利用し機械的にかき落す」、「２．スクリーン面に沿った水流により下流に掃流する」、「３．スクリーンの裏面から水を吹き付けて洗い落とす」などの方法が採られてきた。しかし、「１」の方法ではかき落し装置にスクリーンかすが付着しがちなこと、「２」の方法では「スクリーン面に沿った水流」や「その水流を受け入れる下流側の管渠」が存在しない場合は使用できないこと、「３」の方法では洗い落としのためにスクリーンでのろ過動作を間欠運転としたりスクリーン自体を動かしたりせざるを得ないこと、さらに、除去したスクリーンかすを移送するためにベルトコンベアなどの大掛かりな機械設備が必要なこと、など、スクリーンを設置するにあたって多くの制約があった。
【０００３】
【発明が解決しようとする課題】
本発明は、かき落し装置にスクリーンかすが付着しないようにすること、かき寄せたスクリーンかすを下流に掃流するための水流やその流れを受け入れる下流側の管渠が存在しない場合でも処理が可能なこと、スクリーン自体を動かさないまま連続運転が可能なこと、大掛かりな機械設備が無くてもスクリーンかすの移送が可能なこと、などの課題を解決しようとするものである。
【０００４】
【課題を解決するための手段】
流体中に浮遊するごみを除去するためのバースクリーン１の両端部に，樋状の吸引口２ａ、２ｂを設け、その吸引口２ａ、２ｂとスクリーンかす貯留容器５ａ、５ｂをポンプ３ａ、３ｂ及び配管４ａ、４ｂで接続する。スクリーン面を往復摺動する櫛状のかき取り装置６によりスクリーン１端部までかき寄せたスクリーンかすを、ポンプ３ａ、３ｂにより吸引口２ａ、２ｂから流体とともに吸引し、配管４ａ、４ｂを通じて流体とともにスクリーンかす貯留容器５ａ、５ｂまで移送する。スクリーンかすは貯留容器５ａ、５ｂの中で流体と分離のうえ貯留され、流体は容器外に排出される。
【０００５】
【作用】
かき取り装置６がスクリーンかすをかき寄せながらスクリーン１端部まで来た時に、ポンプ３ａを運転して吸引口２ａからスクリーンかすを流体とともに強制的に吸引する。吸引したスクリーンかすと流体を、配管４ａを通じてスクリーンかす貯留容器５ａまで移送する。数秒後、かき取り装置６を反転してスクリーン面の反対側の端部及び吸引口２ｂに向けて動かすとともにポンプ３ａを停止し、以後上記の動作を繰り返す。流体とともに分離貯留容器５ａに移送したスクリーンかすは、容器５ａの中で流体と分離のうえ貯留し、貯留状況に応じてまとめて系外に搬出処理する。また、分離した流体は容器外に排出する。
【０００６】
【実施例】
本発明の装置は、スクリーンかすをポンプ及び配管経由で吸引移送するため、概ね直径３０ミリメートル以下の微細な夾雑物を除去対象とし、バースクリーンの目幅は数ミリメートル程度、スクリーンの両端部に設ける樋状の吸引口の開口幅は概ね５０ミリメートル以下を標準とする。また、櫛状のかき寄せ装置がスクリーン面を往復する時間は概ね数十秒以内とし、端部にかき寄せたスクリーンかすはその都度数秒間づつ吸引除去移送する。
【０００７】
【発明の効果】
本発明は、かき寄せたスクリーンかすを流体とともに吸引するという手段を講じたので、かき寄せたスクリーンかすを下流に掃流するための水流やその流れを受け入れる下流側の管渠が存在しない場合でも処理が可能となりスクリーン設置にあたっての制約が少なくなるとともに、かき取り装置にスクリーンかすが付着することも防止できる。また、櫛状のかき取り装置が常にスクリーン面を往復摺動してスクリーン面の閉塞を防止するため、スクリーンでのろ過動作は間欠運転とならず連続的に処理することができる。さらに、除去したスクリーンかすの移送にはベルトコンベアなどの大掛かりな機械設備が不要で簡単な配管だけでよく、汚水から除去した夾雑物を容器内に貯留しているため、その量と内容を直接計量し確認することもできる。
【図面の簡単な説明】
【図１】本発明の構成を示す斜視図である。
【符号の説明】
１バースクリーン
２ａ、２ｂ吸引口
３ａ、３ｂポンプ
４ａ、４ｂ配管
５ａ、５ｂ分離貯留容器
６かき取り装置
【図１】
2004148284.tif 000003
(57)【要約】【課題】手軽で安全、老人でも扱える、安価・小型の水道水だけを利用した洗浄器を作るのが目的である。【解決手段】分水して複数の噴出口とすることで、強い回転力、耐圧の問題を克服できた。伝達手段・洗浄部分の工夫で、回転力を保持した。【選択図】  図１
2004148283.tif 000002
【特許請求の範囲】
【請求項１】
水道水を複数に分水し（１）、それぞれを独立した、絞った噴出口（２）に導き、水圧負担を軽減しながら、各噴出口からの噴出圧力を高めた構造
【請求項２】
複数の噴出口で、それぞれ回転版を回す構造
【図１】
【請求項３】
複数の噴出口で、１枚の回転版を回す構造
【図２】
【請求項４】
水洗用吐水ノズル（４）を、洗浄部品に向け、吐水を洗浄対象に直接当たるようにした構造
【請求項５】
洗浄スポンジを分割し、水の通過穴とする（５）と共に、穴（６）を開けて、重量・接触面積の低減、負荷の低減をする構造
【発明の詳細な説明】
【０００１】
【発明の属する技術分野】
この発明は、一般の水道水の圧力を利用して、手軽に回転式の洗浄器とするものであり、確実に、実用的な洗浄力を実現したものである。噴出口を絞ることにより噴出圧力を高め、回転力を強めながら、分水した複数の噴出口により、全体の水圧の上昇をあまり上げることなく、強い耐圧の接続機器を不要とした。
水が利用できる場所の汎用の洗浄器である。
【０００２】
【従来の技術】
単に水道圧を利用しただけで、十分な回転力を得ていない。または、構造が複雑で理解しにくく、コスト高につながり、実用性に低かった。
あるいは、他の動力により、補完されて使用されていた。
【０００３】
【発明が解決しようとする課題】
本発明はシンプルで、分かりやすく、かつ低製造原価で出来、十分な実用性を持ち、手軽に購入、使用できることを課題として研究をすすめた。
【０００４】
【課題を解決するための手段】
１・回転力を高めるためには高圧で回転版に、水圧をかけることが必要であるそのため噴出口を絞ること、どれほどの口径が最適かを実験と理論の結果発見した。
２・単に噴出口を絞れば、水道蛇口から洗浄器まで、高水圧がかかり、機器自体・接続部分の耐圧構造に配慮することとなる。
分水し、噴出口を複数とすることで、耐圧の問題はほとんど無くなった。
３・水圧と回転版により与えられた回転力を、極力保持しながら、洗浄部品まで伝えるため歯車による回転数・回転力の実験を繰り返した低比率の歯車の多段組合せはその結果から発見したものである。
４・回転部分のスポンジ・ブラシは従来の形態のままでは負荷が大きく十分な回転力が得づらい。そのため外周部と中心部を分離し、水の通過穴としさらにスポンジ内部に複数の穴を開けることで、水を含むことによる重量の増加の低減、接触面積の低減を考案した。
５・水洗時には十分な水量を対象物にあてて洗浄できながら、洗剤のみを使用する時などは回転力のみを利用できるよう、切り替えレバーで使い分けできるよう考案、また回転力利用時の水が再利用できるように排水パイプ（７）を付けてホースに繋げるようにした。
６・複数の噴出口を利用するには、それぞれ回転版を回す圧力とする
【図１】一枚の回転板を回す
【図２】があるが、サイズ、回転力、発展性等、一長一短があるが、水道水を分水し、圧力上昇を回避しながら、高圧を保持する仕組みは同じである。
【０００５】
【発明の実施の形態】
本発明は、思考錯誤を繰り返しながら、アクリル板を用いて、製作したものである。実用に耐える回転力を得るために、多数の試作を重ねた。
製作にあたっては、常に量産を意識した構造とした。また理論ではなく、実際の実用性を、実験しながら製作したものである。
【０００６】
【発明の効果】
本発明は以上のような構成だから、分かりやすく、安価に製造でき、手軽に販売・購入、使用できる要素を備えている。
耐圧の問題がないことから、安心して常時使用でき、接続の面倒さは無い。
洗車・壁洗いなどはもちろん、力の弱まった老人家庭・婦女子家庭の食器洗浄・風呂場洗浄などに価値は高い。
【図面の簡単な説明】
【図１】複数の噴出口それぞれが回転版を回す本発明の透視図
【図２】複数の噴出口で１枚の回転版を回す本発明の透視図
【符号の説明】（１）は分水する仕切り板の部分の形状
（２）は絞った噴出口の形状
（３）は減速、回転力保持の歯車部分一部透視図
（４）は水洗時の吐水ノズルの形状
（５）はスポンジ・ブラシを分割したことによる水通過穴の形状
（６）はスポンジに穴を開けた形状
（７）は回転力のみ利用時に使用する排水パイプの形状
【図１】
2004148283.tif 000003
【図２】
2004148283.tif 000004
(57)【要約】【課題】海水等の原水に含まれるスケール、カビおよびバクテリア等が前記逆浸透膜に付着し、脱塩等の水処理性能が低下する。【解決手段】海水等の原水を逆浸透膜で濾過し透過水と濃縮水とに分ける逆浸透膜装置と、逆浸透膜装置に供給する供給管路と、前記逆浸透膜装置で処理された透過水と濃縮水とを排出する排出管路とを備えた水処理装置において、前記供給管路に電解水生成装置で生成された電解酸性水を原水に補給する補給管路を接続した【選択図】        図１
2004148219.tif 000002
【特許請求の範囲】
【請求項１】
海水等の原水を逆浸透膜で濾過し透過水と濃縮水とに分ける逆浸透膜装置と、該逆浸透膜装置に供給する供給管路と、前記逆浸透膜装置で処理された透過水と濃縮水とを排出する排出管路とを備えた水処理装置において、
前記供給管路に電解水生成装置で生成された電解酸性水を原水に補給する補給管路を接続したことを特徴とする水処理装置。
【発明の詳細な説明】
【０００１】
【発明が属する技術分野】
本発明は、水処理装置に関するものである。
【０００２】
【従来の技術】
従来、海水から淡水を生成する脱塩装置等の水処理装置は、特開昭５４−７１０８６号公報に示されているように、海水に圧力を加えることにより逆浸透膜で塩分が取り除かれ真水としていた。
【特許文献１】
特開昭５４−７１０８６号公報
【０００３】
【発明が解決しようとする課題】
しかしながら、水処理を行っていくうちに海水等の原水に含まれるスケール、カビおよびバクテリア等が前記逆浸透膜に付着し、脱塩等の水処理性能が低下してしまう。
【０００４】
この発明は、前述した従来の技術に内在している前記欠点に鑑み、これを好適に解決するべく提案されたものであって、逆浸透膜に付着したスケール、カビおよびバクテリア等を除去し、水処理性能が低下し難く、また逆浸透膜の交換頻度少なくすることができる水処理装置を提供することを目的とする。
【０００５】
【課題を解決するための手段】
前記課題を克服し、所期の目的を達成するために、本発明に係る水処理装置は、海水等の原水を逆浸透膜で濾過し透過水と濃縮水とに分ける逆浸透膜装置と、逆浸透膜装置に供給する供給管路と、前記逆浸透膜装置で処理された透過水と濃縮水とを排出する排出管路とを備えた水処理装置において、前記供給管路に電解水生成装置で生成された電解酸性水を原水に補給する補給管路を接続したことを特徴とする。
【０００６】
【発明の実施の形態】
次に本発明に係る水処理装置につき、好適な実施形態を挙げて、添付図面を参照しながら以下説明する。
【０００７】
図１は本発明に係る水処理装置の実施形態であって、水処理装置１０は海水等の原水１２を真水にする脱塩装置であって、前記原水１２を逆浸透膜で濾過し透過水１６と濃縮水１８とに分ける逆浸透膜装置１４と、この逆浸透膜装置１４に供給する供給管路２０と、前記逆浸透膜装置１４で処理された透過水１６と濃縮水１８とを排出する排出管路２２、２４と、前記供給管路２０に電解水生成装置２６で生成された電解酸性水２８を原水に補給する補給管路３０とを備えている。また、前記電解水生成装置２６で生成された電解アルカリ性水３２を排出する電解アルカリ性水排出管路３４も備えている。
【０００８】
以上のように構成した水処理装置１０では、所定時間ごとに電解酸性水２８を供給管路２０に補給することによって、逆浸透膜装置１４の逆浸透膜に付着したスケールの除去およびカビやバクテリアを電解酸性水２８に含まれる有効塩素で殺菌することができる。また、逆浸透膜装置１４内にｐＨセンサ（図示せず）と配設して、逆浸透膜装置１４内のｐＨを６以下の酸性域に保つようにすることで、カルシウムやマグネシウム等の塩類の析出と生成を抑制することができるとともにカビやバクテリアの繁殖を抑えることができる。。
【０００９】
なお、本実施形態では脱塩装置で説明したが、これに限定されるものではなく、逆浸透膜で処理する水処理装置であれば適用できる。また、本実施形態では所定時間ごとに電解酸性水を補給することで説明したが、これに限定されるものではなく、常時電解酸性水を補給するものでも適用できる。
【００１０】
【発明の効果】
以上説明した如く、本発明に係る水処理装置によれば、逆浸透膜装置に原水を供給する供給管路に電解水生成装置で生成された電解酸性水を原水に補給する補給管路を接続したので、逆浸透膜に付着したスケール、カビおよびバクテリア等を除去することができ、水処理性能が低下し難く、また逆浸透膜の交換頻度少なくすることができる。
【図面の簡単な説明】
【図１】本発明の実施形態に係る水処理装置の概略図である。
【符号の説明】
１０    水処理装置
１４    逆浸透膜装置
２０    供給管路
２２、２４    排出管路
２６    電解水生成装置
２８    補給配管
【図１】
2004148219.tif 000003
(57)【要約】【課題】キャップ５に形成されたストッパー部５１は、肩部３Ａに当接させるため縮径部となっており、他の部分に比し全周上で肉厚となっている。そのため、キャップを樹脂成形品とした場合には、前記肉厚の部分が窪んでしまい（一般的には、“引け”と称されている。）危険性があり、著しく外観見栄えを損ねてしまっていた。【解決手段】軸とキャップとの係止構造であって、前記軸に係止段部を形成すると共に、その係止段部に前記キャップの内面に部分的に形成した係止突起を当接させたキャップの係止構造。【選択図】  図１
2004148615.tif 000002
【特許請求の範囲】
【請求項１】
軸とキャップとの係止構造であって、前記軸に係止段部を形成すると共に、その係止段部に前記キャップの内面に部分的に形成した係止突起を当接させたことを特徴とするキャップの係止構造。
【請求項２】
前記キャップの内面に嵌合部を形成すると共に、その嵌合リブを前記軸の係止段部に嵌合させたことを特徴とする請求項１記載のキャップ係止構造。
【発明の詳細な説明】
【０００１】
【発明の属する技術分野】
本発明は、軸とキャップとの係止構造に関する。
【０００２】
【従来の技術】
キャップの係止構造においては、特許文献１に示されているような手段が知られている。具体的に説明すると、軸筒２の前方外周部には、小径部４Ａを形成することによって形成される肩部３Ａが形成されており、その肩部３Ａにはキャップ５の内面中間部に形成されたストッパー部５１が当接している。即ち、ストッパー部５１が肩部３Ａに当接することによって、軸筒２に対するキャップ５の没入規制がなされている。
また、キャップ５には、嵌合部５２が形成されており、軸筒５からの脱落が防止されている。
【０００３】
【特許文献１】
特開平１０−３２９４９０号（段落００１７、図１）
【０００４】
【発明が解決しようとする課題】
前記キャップ５に形成されたストッパー部５１は、肩部３Ａに当接させるため縮径部となっており、他の部分に比し全周上で肉厚となっている。そのため、キャップを樹脂成形品とした場合には、前記肉厚の部分が窪んでしまい（一般的には、“引け”と称されている。）危険性があり、著しく外観見栄えを悪くしてしまっていた。
【０００５】
【課題を解決するための手段】
本発明は前述の問題点を解決するものであって、軸とキャップとの係止構造であって、前記軸に係止段部を形成すると共に、その係止段部に前記キャップの内面に部分的に形成した係止突起を当接させたことを要旨とする。
【０００６】
【実施例】
先端にボールペンチップ１が固定され、内部にインキを収容した軸筒２の前方には、前記ボールペンチップ１を覆うようにポリプロピレンやポリエチレン、ポリカーボネイト、ＡＢＳなどの樹脂材質からなるキャップ３が着脱自在に取り付けられている。前記ボールペンチップ１は、軸筒２の先端に圧入・固着されたホルダー４に固定されているが、軸筒２とホルダー４とを一体形成し、その先端に前記ボールペンチップ１を固定しても良い。また、本例では、ボールペンチップを固定しているが、繊維集束体などからなる塗布体であっても良い。
前記ホルダー４の後方（図中、下方）には、周状の嵌合突部５が形成されており、その嵌合突部５の前方（図中、上方）には小径部６を形成することによって形成される係止段部７が形成されている。その係止段部７は傾斜した状態で形成されているが、軸筒２に対して直角な係止段部としても良い。キャップ３や軸筒２の寸法上のバラツキを考慮すると共に、デザインを考慮してのことである。
尚、前記嵌合突部５は、なだらかな山形状をなしているが、頂部を境として、前方部が２段階の傾斜面５ａ、５ｂ、後方部が１つの傾斜面５ｃで構成されている。キャップ３を軸筒２に対して、嵌合させやすいが抜けにくい構造となっている。
【０００７】
一方、軸筒１の前方に着脱自在に取り付けられた前記キャップ２の前方内面には、前記嵌合突部５を乗り越えて嵌合する嵌合リブ８が周状に形成されている。また、その嵌合リブ８の後方には、前記係止段部７と当接する係止突起９が同一周状ではあるが、部分的に形成されている。本例においては、周状の等間隔に４個形成されているが、安定性を考慮すると少なくとも３個以上形成するのが好ましい。その係止突起９の幅Ｗは、厚くするに従って係止段部７との当接安定性が増すが、従来技術で示したようにあまり厚くすると、その外周面に窪みが発生してしまうため、折損しない程度の薄さとするのが好ましい。また、係止突起９の軸線方向の長さＬは、幅Ｗにもよるが、キャップ嵌合時においては常時、係止段部７への当接力が作用しているため、より多くの長さとするのが好ましい。尚、本実施例においては、後述する内筒との関係上、係止突起９の前方部（９ａ）は低く形成されている。
【０００８】
前記キャップ３の前方部には、樹脂材質からなる頭冠１０が圧入されており、その頭冠１０にはステンレスなどの金属材質からなるクリップ１１が取り付けられているが、これら頭冠１０とクリップ１１とを樹脂、或いは金属材質によって一体成形などしても良い。また、頭冠１０には、前記キャップ３内に位置する内筒１２が形成されており、その内筒１２にはゴム材質などからなるパッキン１３が圧入・固定されている。そのパッキン１３は、前記ボールペンチップ１の先端を覆うように当接している。つまり、ボールペンチップ１の吐出を塞ぎ、これによってボールペンチップや吐出口の乾燥を防止しているのである。
【０００９】
第２例を図３に示し説明する。前記ホルダー４に形成されている嵌合突部５の前方傾斜面部５ａを係止段部１４とした例である。その係止段部１４には、キャップ３の内面に形成された係止突起１５が当接し得るようになっている。即ち、嵌合突部５を嵌合リブ８と係止突起１５によって挟み込むように挟持させているのである。この様な構成とすることによって、前記係止突起１５を後方部に位置させることができ、その係止突起１５の軸線方向における長さを十分に得ることができる。
【００１０】
【発明の効果】
本発明は、軸とキャップとの係止構造であって、前記軸に係止段部を形成すると共に、その係止段部に前記キャップの内面に部分的に形成した係止突起を当接させたので、外観見栄えの良いキャップを提供することができる。
【図面の簡単な説明】
【図１】本発明を示す縦断面図。
【図２】図１のＡ−Ａ線断面図。
【図３】図１の要部拡大図。
【図４】第２例を示す要部拡大縦断面図。
【符号の説明】
１    塗布部
２    軸筒
３    キャップ
４    ホルダー
５    嵌合突部
６    小径部
７    係止段部
８    嵌合リブ
９    係止突起
１０    頭冠
１１    クリップ
１２    内筒
１３    パッキン
１４    係止段部
１５    係止突起
【図１】
2004148615.tif 000003
【図２】
2004148615.tif 000004
【図３】
2004148615.tif 000005
【図４】
2004148615.tif 000006
(57)【要約】【目的】破材のリサイクルで製作した靴の中敷き【構成】木の破材を貼り合わせ、間に和紙を挟み、靴の中敷きにする。【選択図】  図２
2004148019.tif 000002
【特許請求の範囲】
【請求項１】
木の薄板に和紙を挟んだ靴の中敷
【発明の詳細な説明】
【０００１】
【産業上の利用分野】
この発明は、今まで焼却処分されてきた木のべら板を使用し、木自身のもった効果をそのままに生かしたリサイクルを考慮した靴の中敷に関するものである。
【０００２】
【従来の技術】
従来、べら板は焼却処分されたり、紙のチップとしてしようされていて、木の特性を生かしたものに利用されていなかった。
中敷としては、木のオイル等を抽出したものを活用したり、木製であっても面に加工してないので滑りやすく、木の素材だけで曲げに弱い。
【０００３】
【発明が解決しようとする課題】
木はいろいろな使われ方をしていて、必要以上に伐採することは、環境破壊につながる、一本の木の大切さを考慮し、破材になっても利用する。
【０００４】
木は薄くなると折れやすく、耐久性に乏しい。
【０００５】
また、オイル等を使用しただけでは、効果の持続が短い。
【０００６】
【課題を解決するための手段】
べら板を同じ厚さに整え、表面を整え、側面を合わせ繋げるので、平行になるように揃え、長方形にします。
【０００７】
そして長方形を処理のしやすいサイズまで、縦、横に表になるほうに仮止めしつなぎます。
【０００８】
その裏面に和紙を貼り（図１）、和紙の裏面に表に貼った板の目と直角になるように、板を全面に隙間のないように貼ります。（図２、３）
【０００９】
さらに板の表面を、うずくりし、板目を引き立たせることによって、すべり止めになり、足の裏を刺激します。
【００１０】
【作用】
板目が表と裏と違いますが、どちらも使用することが可能で、板の間をあるいているようで、足が蒸れにくく、匂いが臭くならない、また、足からでる汗によって、木の持っている作用が、出やすく、木の香りなど効果が増す。
【００１１】
今まで焼却処分されてきた、小さな材料も生かすことができる。
【００１２】
【実施例】
べら板をかんなをかけ両面を平らにする、長さは使いやすい長さにきり長方形にする。
【００１３】
長い方の側面を仮止めのテープで繋いで適当な長さにする、和紙のサイズに合わせ用紙サイズのＡ２またはＡ１にする、多少板が大きくなってもよい（ａ）。
【００１４】
仮止めのテープの貼ってないほうに、ボンドを塗り、和紙をはる（図１）。
【００１５】
和紙のもう一面のほうにボンドをぬり、板の目が表と直角になるように、板を和紙より多少大きめに貼り（図２、３）、圧縮機で接着を固定する。
【００１６】
仮止めのテープをはずし、表面をうずくり機でうずくりし、木の年輪の線を引き立たせ、でこぼこになるようにする。
【００１７】
それを足型のサイズに切る。
【００１８】
また、本発明の実施例として、互い違いに板を貼ることによって、見た目も無垢材と変わらない合板として使用することもできる。
【００１９】
【発明の効果】
べら板を有効に活用することができ、木の持っている特性を生かすことができる。
【００２０】
木の脱臭、消臭、芳香効果がいかされた中敷となる。
【００２１】
木目を互い違いに、合板することにより、強化されたものになる。
【００２２】
さらに合板にする、その間に和紙を挟むことにより、一層強化され、どの方向の曲げにも強度があり、柔軟性がでてきる、また、破材を張り合わせやすく、有効に利用することができる。
【００２３】
【図面の簡単な説明】
【図１】貼り合わせた板と和紙を貼り合わす図。
【図２】貼り合わせた板と和紙にさらに板をはる図。
【図３】図２を貼り合わせた図。
【符号の説明】
（ａ）  破材を貼り合わせ仮止めしたもの。
（ｂ）  和紙。
（ｃ）  （ａ）と貼り合わせ方を違わせた破材。
【図１】
2004148019.tif 000003
【図２】
2004148019.tif 000004
【図３】
2004148019.tif 000005
(57)【要約】【課題】爪白癬の治療で、副作用の大きい内服薬に頼らず、局所投与の塗り薬の効果を高めて、塗り薬のみで、爪白の完治を目指す。【解決手段】爪白癬の治療方法として、罹患している爪の表面の硬い部分のみ削り落とす。無痛性に爪表面のみ削除しただけで、白癬菌の病巣に塗り薬が浸透可能となり、爪白癬への薬剤の局所投与による完治が可能となると考えた。爪白癬の治療に、爪表面を削るという発想が発明の本質であるが、この治療用に爪表面の削り装置の開発を考案した。【選択図】図１
2004148065.tif 000002
【特許請求の範囲】
【請求項１】
爪白癬の治療用に用いられる電動式の爪削り装置
【請求項２】
爪白癬の治療用に用いられる手動式の爪削り装置
【請求項３】
爪白癬の治療用に用いられるレーザーを用いた爪削り装置
【発明の詳細な説明】
【０００１】
【発明の属する技術分野】
本発明は、爪白癬の治療を目的に、医療上用いられる。装置の使用者は、法律が許す範囲であれば、医師だけでなく、患者本人、あるいは介護者でもよい。
【０００２】
【従来の技術】
白癬は、皮膚病である。塗り薬が効果的な治療法であり、皮膚の白癬は塗り薬でも完治が可能である。しかし、爪の内部まで進行した白癬（爪白癬）は難治性で、塗り薬だけでは根治しがたい。その理由は、爪の内部、深部に白癬菌が生息し、硬い爪にはばまれて、治療薬が白癬菌まで到達できないために、爪の表面に塗っても無効である。
従来、この爪白癬には、内服薬で治療が行われている。血液に薬剤を乗せて、爪の深部にある白癬菌の病巣まで到達させて、白癬菌を殺菌するものだが、内服薬であるために、肝臓などの臓器に重篤な副作用が出現する場合がある。そのため、副作用の少ない局所投与である塗り薬が、爪白癬にも有効であれば、患者にとっては、多くの利点と効果が期待できる。
爪白癬に対して、爪の表面を削り落として、薬剤を浸透させようという、発想はまだ無い。
【０００３】
【発明が解決しようとする課題】
爪白癬に対して、局所の塗り薬で、白癬菌の撲滅を考えるとき、塗り薬の浸透を阻害する、爪に治療の手を加えれば、治療薬が白癬菌の病巣まで、到達可能となる。
幸い、爪は知覚神経が入っておらず、また血管も無い。麻酔無しで、爪の表面は、容易に削除可能で、出血もしない。また、多くの場合、爪白癬におかされた爪は、白く白濁して、肥厚し、ボロボロと脆くなっている。その爪の表面を、ゆっくりと、削り落とすことが、比較的容易である。爪はその特徴として、表面は硬いが、すこし削った内部は、薬液の浸透性のよい、やわらかい組織で、形成されており、爪白癬では、この場所に白癬菌も病巣を作っている。この病巣に直接、薬液を塗布できれば、爪白癬の塗り薬による完治が可能となる。
爪の硬い表面を薄く削るだけならば、無痛性に処置が可能である。そこで、この発明は、医療従事者はもちろんであるが、素人でも操作が可能であろう。すなわち、この発明の装置は、当然のことながら、皮膚医によって医療行為として、爪の表面の削除に用いてもよいが、法律の許す範囲であれば、患者自ら、あるいは、介護者が、塗り薬の浸透性を高める目的で、爪表面の削除を実施する器具として使用しても良い。
【０００４】
【発明の実施の形態】
本発明の本質は、爪白癬の治療で、爪表面を削り取り、塗り薬の浸透性を高めて、白癬菌の病巣に直接薬液が到達できるように爪削除するという発想にある。爪白癬の治療を目的として、爪を表面から削り落とす装置は、それがどのような形態をとっていても、本発明の範疇に含まれる。
爪を表面から削り落とす装置としては、まず、歯科用の切削器械のように、電動で動き、モーターの先に切削用のバーを取り付け、モーターの回転の力で、バーが回転して、爪を表面からゆっくり、削除する電動式の装置が考えられる。また、ヤスリの形や、小刀の形態で、使用目的が、爪白癬の治療のための手動式爪削り器具。さらに、爪表面のみを、レーザーで焼き切るように設計された、爪白癬治療用を目的に設計されたレーザー爪削り装置である。
特に足の爪に白癬菌が感染した足爪白癬では、爪表面を削り落としても、他人には見えないので、審美的用件は考慮せずに治療できる。痛みを感じない爪表面の削除のみで、白癬菌の病巣に直接的な薬液の浸透が可能となる。
【０００５】
【実施例】
本発明で使用する装置として、もっとも一般的な形態は、歯科用の切削装置に似た電動性の装置であろう。電動モーターの先に着脱可能な切削用のバーを取り付けて、回転させて、爪を表面から削り落とす。オン、オフのスイッチや、回転速度を制御するコントローラーがあり、回転速度調節のツマミなどがある。
【０００６】
【発明の効果】
白癬の罹患者は多く、治療の希望者は多い、しかし、爪にまでこの菌が侵入した爪白癬は、難治性で治療が難しい。内服薬は利用されているが、それを内服した患者の何人かは、重篤な副作用で苦しんでいる。本発明により、局所投与の塗り薬で爪白癬の完治が可能となれば、これは画期的な事である。副作用の少ない本方法は、爪白癬で悩んでいる多くの患者に多大な福音をもたらすものと考えられる。
【図面の簡単な説明】
【図１】電動式の爪削り装置の模式的な配置図。
【符号の説明】
１  爪切削用のバー
２  電動モーター本体
３  電動モータースイッチ
４  連結用コード
５  モーターのコントロール用の本体
６  モーターのスピードコントロール用スイッチ
７  電源入り切り用のスイッチ
８  電源用のコード
９  コンセント
【図１】
2004148065.tif 000003
(57)【要約】【課題】マスク使用中におこる内側ガーゼのヨレやズレ、長時間使用の際には、蒸れや汚れといった不快感を簡単に解消し同時にリラクゼーションの効果を提供する。【解決の手段】マスク本体（内側部分）１と内側ガーゼ３にそれぞれマジックテープ（２，４）を取り付けズレを防止し、マスク内を常に清潔に保てる様に携帯型にした交換用使い捨てストッパー付内側ガーゼ３を使用することで簡単にリフレッシュでき、好みの香りのするタイプ３を用いる事で、いつでもリラクゼーション等を楽しめることができるようにする。【選択図】  図２
2004148064.tif 000002
【特許請求の範囲】
【請求項１】
マスク本体と内側のガーゼをマジックテープで着脱式にすることによってガーゼのズレを防止し使い捨て型のストッパー付内側ガーゼの替を別に設けることで常に清潔なガーゼに交換できるようにした。同時に好みの香りをチョイスできるようにした内側ガーゼストッパー付香りのするマスク。
【発明の詳細な説明】
【０００１】
【発明の属する技術分野】
本発明は、マスク使用中に内側のガーゼが、だ液等で汚れたりズレたりする事による不快感を防止するものである。又、リフレッシュやリラックスできるように改良した物である。
【０００２】
【従来の技術】
従来のマスクには、マスク本体と内側のガーゼ部分にマジックテープを装着した着脱式ズレ防止型はなく、使い捨てタイプの替えストッパー付内側ガーゼ及び香りのする物も無かった。
【０００３】
【発明が解決しようとする課題】
だ液や鼻水等で、マスク内側部分のガーゼがヨレてまるまってしまったり、マスクからはみ出したり、カゼや花粉症等で、長時間マスクを使用する際に起きてくるマスク内での不快感という難点があった。本発明は、この課題を解消するためになされたものである。
【０００４】
【課題を解決するための手段】
マスク本体１の内側とガーゼ部分３にそれぞれマジックテープ（２，４）を付けることで内側ガーゼ３のズレを防止できるようにした。又、内側ガーゼ３の替えを別に設けることで常に清潔なガーゼと交換でき、マスクをする事を快適なものにすることができる。又、スペアミント、ユーカリ等のハーブやフルーツのアロマを付着させた交換用使い捨てストッパー付内側ガーゼ３で、リラクゼーションも楽しめる。（香りを好まない人やアレルギー等の人の為に無臭用の交換用使い捨てストッパー付内側ガーゼ３もある。）
【０００５】
【発明の実施の形態】
以下、本発明の実施の形態について説明する。
（イ）マスク本体１の内側部分の天地と交換用使い捨て型内側ガーゼ３も同様にマジックテープを付け着脱式にする。
（ロ）交換用使い捨て型ストッパー付内側ガーゼ３を携帯型で別に設け香りを楽しむタイプと無臭タイプのふたつから自由に選ぶ事ができる。
【０００６】
【発明の効果】
マスク使用中におこる内側ガーゼの乱れやズレをマジックテープ（２，４）を取り付ける事によって防止できる様になる。だ液等で湿って汚れてくるマスク内での不快な状況を交換用使い捨てストッパー付内側ガーゼ３携帯型があることで、その都度交換が簡単になり、マスクを快適に使用する事ができる。又、個人の好みにあった香りのする交換用使い捨てストッパー付内側ガーゼ３をチョイスする事によりリラクゼーション等を楽しめる様になり、マスクの活用方法も広がる。
【図面の簡単な説明】
【図１】本発明の正面図である。
【図２】本発明の使用状態を示す斜視図である。
【符号の説明】
１  マスク本体（内側部分）
２  マスク本体（内側部分）に付いたマジックテープ
３  内側ガーゼ（交換用使い捨てストッパー付内側ガーゼ無臭タイプｏｒ香りのするタイプ）
４  内側ガーゼ（交換用使い捨てストッパー付内側ガーゼ無臭タイプｏｒ香りのするタイプ）に付いたマジックテープ
【図１】
2004148064.tif 000003
【図２】
2004148064.tif 000004